(57)【特許請求の範囲】
【請求項１】
ＲＦＩＤタグを搭載した書き換え可能な印刷シートと、前記ＲＦＩＤタグとデータの送受信が可能な前記印刷シートのプリンタ装置と、を備えた印刷システムであって、
前記印刷シートは、
外部装置とデータの送受信をする第１のデータ送受信手段と、
外部より送信される電磁波により発生した誘導起電力を整流して蓄電する電力蓄積手段と、
物理量を計測してデータを取得するセンサ手段と、
前記電力蓄積手段から電力を得て前記データを処理する第１の中央演算処理手段と、
加熱により画像データを追記又は書き換えて記録する画像データ記録手段と、
を有し、
前記プリンタ装置は、
電力を発生させるための電磁波を送出するアンテナ手段と、
外部装置とデータの送受信をする第２のデータ送受信手段と、
前記データの処理を行う第２の中央演算処理手段と、
加熱により画像データを追記又は書き換えて前記印刷シートに記録するサーマルヘッド
手段と、
を有し、
前記画像データは、前記印刷シートにおいて前記センサ手段で取得したデータを前記第１の中央演算処理手段で処理して前記第１のデータ送受信手段で送信し、前記プリンタ装置において前記第２のデータ送受信手段で前記第１のデータ送受信手段から送信されたデータを受信して前記第２の中央演算処理手段で処理した結果として生成される
ことを特徴とする印刷システム。
【請求項２】
前記第１のデータ送受信手段および前記第２のデータ送受信手段は、受信したデータ信号をデータ情報に変換する手段と、送信するためのデータ情報をデータ信号に変換する手段と、前記データ信号を送受信するアンテナ手段と、をそれぞれ有することを特徴とする請求項１に記載の印刷システム。
【請求項３】
前記電力蓄積手段は、前記電磁波により誘導起電力を発生するアンテナ手段と、前記発
生した電力を整流および平滑化する電力安定手段と、前記電力を蓄電して供給する電力蓄
積供給手段と、を有することを特徴とする請求項１に記載の印刷システム。
【請求項４】
前記サーマルヘッド手段は、印刷シートに記録されている画像データを予め定められた
温度の加熱により消去し、前記予め定められた温度より高い温度の加熱により新たな画像
データを形成することを特徴とする請求項１に記載の印刷システム。
【請求項５】
ＲＦＩＤタグを搭載した書き換え可能な印刷シートと、前記ＲＦＩＤタグとデータの送受信が可能な前記印刷シートのプリンタ装置と、受信した前記データの処理を行う情報処理装置と、を備えた印刷システムであって、
前記印刷シートは、
外部装置とデータの送受信をする第１のデータ送受信手段と、
外部より送信される電磁波により発生した誘導起電力を整流して蓄電する電力蓄積手段と、
物理量を計測してデータを取得するセンサ手段と、
前記電力蓄積手段から電力を得て前記データを処理する第１の中央演算処理手段と、
加熱により画像データを追記又は書き換えて記録する画像データ記録手段と、
を有し、
前記プリンタ装置は、
電力を発生させるための電磁波を送出するアンテナ手段と、
外部装置とデータの送受信をする第２のデータ送受信手段と、
受け取った画像データを加熱により追記又は書き換えて前記印刷シートに記録するサーマルヘッド手段と、
を有し、
前記情報処理装置は、
前記プリンタ装置との間でデータの送受信をする第３のデータ送受信手段と、
受信した前記データの演算処理を行う第２の中央演算処理手段と、
前記演算処理されたデータに基づいて画像形成のための前記画像データを生成する画像データ生成手段と、
を有し、
前記画像データは、前記印刷シートにおいて前記センサ手段で取得したデータを前記第１の中央演算処理手段で処理して前記第１のデータ送受信手段で前記プリンタ装置に送信し、前記プリンタ装置において前記第２のデータ送受信手段で前記第１のデータ送受信手段から送信されたデータを受信したのち該データを前記第２のデータ送受信手段で前記情報処理装置に送信し、前記情報処理装置において前記第３のデータ送受信手段で該データを受信して前記第２の中央演算処理手段で処理した結果として前記画像データ生成手段で生成される
ことを特徴とする印刷システム。
【請求項６】
前記第１のデータ送受信手段および第２のデータ送受信手段は、受信したデータ信号をデータ情報に変換する手段と、送信するためのデータ情報をデータ信号に変換する手段と、前記データ信号を送受信するアンテナ手段と、をそれぞれ有することを特徴とする請求項５に記載の印刷システム。
【請求項７】
前記電力蓄積手段は、前記電磁波により誘導起電力を発生するアンテナ手段と、前記発
生した電力を整流および平滑化する電力安定手段と、前記電力を蓄電して供給する電力蓄
積供給手段と、を有することを特徴とする請求項５に記載の印刷システム。
【請求項８】
前記サーマルヘッド手段は、印刷シートに記録されている画像データを予め定められた
温度の加熱により消去し、前記予め定められた温度より高い温度の加熱により新たな画像
データを形成することを特徴とする請求項５に記載の印刷システム。
【請求項９】
ＲＦＩＤタグを搭載した書き換え可能な印刷シートと、前記ＲＦＩＤタグとデータの送受信が可能な前記印刷シートのプリンタ装置と、を備えた印刷システムの動作方法であって、
前記印刷シートが外部より送信される電磁波により発生した誘導起電力を整流して蓄電する電力蓄積工程と、
前記印刷シートが物理量を計測してデータを取得するセンサ工程と、
前記印刷シートが前記電力蓄積工程で蓄電された電力を得て前記データを処理する第１の中央演算処理工程と、
前記印刷シートと前記プリンタ装置が互いにデータを送受信するデータ送受信工程と、
前記プリンタ装置が前記データ送受信工程で受信した、前記第１の中央演算処理工程で得たデータを含むデータの処理を行い、画像データを生成する第２の中央演算処理工程と、
前記プリンタ装置が加熱により前記画像データを追記又は書き換えて前記印刷シートに記録する工程と
を含む印刷システムの動作方法。
【発明の詳細な説明】
【技術分野】
【０００１】
本発明は、非接触充電が可能な印刷シート、そのシート表示の書き換えを行うプリンタ装置、印刷システム及び動作方法に関する。
【背景技術】
【０００２】
食料品や医薬品など、市場に流通する物品の多くは安全衛生や品質の維持管理のために密封可能な容器に保管されて輸送されている。そのなかでも生鮮食料品、清涼飲料、冷凍食品などは荷室の温度を制御できる車両で商品を輸送して鮮度の保持に努めている。
【０００３】
しかし、商品を購入する消費者にとっては、流通過程でどのようにその商品が管理されていたのか知ることができない。例えば、商品に添付されているラベルの表示が改竄されていたとしても、その真偽のほどを容易に判断することはできない。
【０００４】
そこで商品の流通を管理するために、無線で情報の読み出しまたは書き込みが可能な無線情報媒体の一種であるＲＦＩＤ（Ｒａｄｉｏ  Ｆｒｅｑｕｅｎｃｙ  ＩＤｅｎｔｉｆｉｃａｔｉｏｎ）タグに工場出荷から各流通拠点を介して販売店に至るまでの各種データを記録して商品の履歴を管理する方法がある。
【０００５】
例えば特許文献１においては、非接触で充電機能及び信号送受信機能を備えた、小型の容器であっても容易に付したり内包させることができるセンサ付きＩＣタグ若しくはセンサ装置について開示されている。
【０００６】
また特許文献２においては、冷蔵を要する飲料などを容器に入れて運送し、保存して客に提供する場合、客に提供されるまでの間、冷蔵温度が維持されたかを管理するために対象物の温度を測定して記録するセンサ付きＩＤタグについて開示されている。
【０００７】
また特許文献３においては、運送や流通、倉庫、荷物の取り扱い等の分野で利用する物流ラベルとして表示印刷可能なリライタブルシートにＩＣチップを実装する時にＩＣチップが流通過程で破損しないように保護する構造について開示されている。
【先行技術文献】
【特許文献】
【０００８】
【特許文献１】特開２００８−６５６６０号公報
【特許文献２】特開２００１−１８７６１１号公報
【特許文献３】特開２００８−５９２４０号公報
【発明の概要】
【発明が解決しようとする課題】
【０００９】
特許文献１に記載されている方法は、充電するためのアンテナ部とセンサ部を分離することで小型化し、センサ部を飲料用の小型容器の中にいれることが可能なものであるが、専用のリーダライタのある場所でなければＲＦＩＤに記録されている情報を知ることができないという問題があった。
【００１０】
また特許文献２に記載されている方法は、飲料容器の保管状態の冷蔵温度を継続的に記録して管理できるものであるが、専用のリーダライタのある場所でなければＲＦＩＤに記録されている情報を知ることができないという問題があった。
【００１１】
また特許文献３に記載されている方法は、物流ラベルとしてＲＦＩＤに記録されている情報の一部を表示印刷可能であるが、流通過程で商品がどのように管理されていたかの履歴情報を記録することができないという問題があった。
【００１２】
また流通拠点ではＲＦＩＤをリードライトすることでデータの書き換え及びリライタブルシートの書き換えを行うことは可能であるが、流通拠点間で移動する間は電力を持たないので回路が作動しないため、データを記録することができないという問題があった。
【００１３】
そこで本発明は、上記問題点に鑑みてなされたもので、生産拠点から流通拠点を介して販売店に至るまでの流通過程の商品の状態を記録して各流通拠点で記録情報を印刷することにより、どこでも管理情報を見ることができる、非接触充電が可能な印刷シート、そのシート表示の書き換えを行うプリンタ装置、印刷システム及び動作方法を提供することを目的とする。
【課題を解決するための手段】
【００１４】
上記課題を解決するため、本発明に係る印刷シートは、外部装置とデータの送受信をするデータ送受信手段と、外部より送信される電磁波により発生した誘導起電力を整流して蓄電する電力蓄積手段と、物理量を計測してデータを取得するセンサ手段と、電力蓄積手段から電力を得てデータを処理する中央演算処理手段と、加熱により画像データを追記又は書き換えて記録する画像データ記録手段と、を有することを特徴とする。
【００１５】
また本発明に係るプリンタ装置は、電力を発生させるための電磁波を送出するアンテナ手段と、外部装置とデータの送受信をするデータ送受信手段と、データの処理を行う中央演算処理手段と、加熱により画像データを追記又は書き換えて印刷シートに記録するサーマルヘッド手段と、  を有することを特徴とする。
【００１６】
また本発明に係る印刷システムは、ＲＦＩＤタグを搭載した書き換え可能な印刷シートと、ＲＦＩＤタグとデータの送受信が可能な印刷シートのプリンタ装置と、を備えた印刷システムであって、印刷シートは、外部装置とデータの送受信をするデータ送受信手段と、外部より送信される電磁波により発生した誘導起電力を整流して蓄電する電力蓄積手段と、物理量を計測してデータを取得するセンサ手段と、電力蓄積手段から電力を得てデータを処理する中央演算処理手段と、加熱により画像データを追記又は書き換えて記録する画像データ記録手段と、を有し、プリンタ装置は、電力を発生させるための電磁波を送出するアンテナ手段と、外部装置とデータの送受信をするデータ送受信手段と、データの処理を行う中央演算処理手段と、加熱により画像データを追記又は書き換えて印刷シートに記録するサーマルヘッド手段と、を有することを特徴とする。
【００１７】
また本発明に係る印刷システムは、ＲＦＩＤタグを搭載した書き換え可能な印刷シートと、ＲＦＩＤタグとデータの送受信が可能な印刷シートのプリンタ装置と、受信した前記データの処理を行う情報処理装置と、を備えた印刷システムであって、印刷シートは、外部装置とデータの送受信をするデータ送受信手段と、外部より送信される電磁波により発生した誘導起電力を整流して蓄電する電力蓄積手段と、物理量を計測してデータを取得するセンサ手段と、電力蓄積手段から電力を得てデータを処理する中央演算処理手段と、加熱により画像データを追記又は書き換えて記録する画像データ記録手段と、を有し、プリンタ装置は、電力を発生させるための電磁波を送出するアンテナ手段と、外部装置とデータの送受信をするデータ送受信手段と、受け取った画像データを加熱により追記又は書き換えて印刷シートに記録するサーマルヘッド手段と、を有し、情報処理装置は、外部装置とデータの送受信をするデータ送受信手段と、受信したデータの演算処理を行う中央演算処理手段と、演算処理されたデータに基づいて画像形成のための画像データを生成する画像データ生成手段と、を有することを特徴とする。
【００１８】
また本発明に係る動作方法は、ＲＦＩＤタグを搭載した書き換え可能な印刷シートと、ＲＦＩＤタグとデータの送受信が可能な印刷シートのプリンタ装置と、を備えた印刷システムの動作方法であって、電力を発生させるための電磁波を送出するアンテナ工程と、外部より送信される電磁波により発生した誘導起電力を整流して蓄電する電力蓄積工程と、物理量を計測してデータを取得するセンサ工程と、電力蓄積手段から電力を得てデータを処理する中央演算処理工程と、外部装置とデータの送受信をするデータ送受信工程と、データの処理を行う中央演算処理工程と、印刷シートに記録されている画像データを予め定められた温度の加熱により消去する工程と、予め定められた温度より高い温度の加熱により新たな画像データを印刷シートに形成する工程と、を有することを特徴とする。
【発明の効果】
【００１９】
本発明により、流通過程の商品の状態を記録して各流通拠点で記録情報を印刷することにより、どこでも管理情報を見ることができる、非接触充電が可能な印刷シート、そのシート表示の書き換えを行うプリンタ装置及び印刷システムを提供することが可能になる。
【図面の簡単な説明】
【００２０】
【図１】本発明の実施形態に係るリライタブルシートの構造図である。
【図２】本発明の他の実施形態に係るリライタブルシートの構造図である。
【図３】本発明の実施形態に係る充電可能なリライタブルシートの構成図である。
【図４】本発明の実施形態に係るプリンタ装置の構成図である。
【図５】本発明の他の実施形態に係るプリンタ装置の構成図である。
【図６】本発明の実施形態に係る非接触充電可能なリライタブルシートとプリンタ装置の動作の流れを説明する図である。
【図７】本発明の他の実施形態に係る非接触充電可能なリライタブルシートとプリンタ装置の動作の流れを説明する図である。
【発明を実施するための形態】
【００２１】
本発明の好適な実施の形態について図面を参照して詳細に説明する。
【００２２】
まず、本発明の概要について説明する。印刷シート（以下、リライタブルシートと記述する）に蓄電池を持たせることにより、回路を動作させ続け、温度センサなどのデータを連続的に記録することができる。そして、プリンタ装置でリライタブルシートのＲＦＩＤに記録された電子データやメモリの記録を読み出し、その情報をリライタブルシートに印刷することで、情報をどこでも見ることが可能となる。
【００２３】
ＲＦＩＤタグを有したリライタブルシートには、誘導起電力を発生するアンテナコイル、シート状の蓄電池（例えば、二次電池など）とセンサ（例えば温度センサなど）と温度センサのデータを記録するメモリ、これをコントロールするマイコン（ＣＰＵ）が埋め込まれている。
【００２４】
プリンタ装置は、感熱方式のサーマルヘッドを持つＲＦＩＤリードライト機能を有するプリンタであり、リライタブルシートに情報を印刷することでＲＦＩＤタグの電子データ情報を目に見える形にすることが可能である。
【００２５】
リライタブルシートに電力を持たせる方法は、プリンタ装置にリライタブルシートをセットした時に、電磁誘導方式でコイルに誘導起電力を発生させ、リライタブルシートの蓄電池（例えば二次電池）に非接触充電を行う。このように蓄電池に蓄えられた電力により、温度センサなどの回路を動作し続けることが可能である。さらにプリンタ装置はＲＦＩＤタグへの情報を書き込むと共にリライタブルシートにＲＦＩＤタグの電子データを印刷し、情報を目に見えるようにすることが可能である。
【００２６】
本発明の実施形態に係るリライタブルシートとして、感熱記録式リライタブルシートを例にして説明する。
【００２７】
まず、リライタブルシートの概要について以下に説明する。
【００２８】
リライタブルシートは、基材上にロイコ染料と可逆顕色剤からなる感熱記録層が設けられたものである。
【００２９】
そしてサーマルプリンタに内蔵されたサーマルヘッドにより感熱記録層を加熱すると、ロイコ染料と可逆顕色剤とが溶融により化学反応してロイコ染料が発色し、これを急冷すると発色状態が固定される。
【００３０】
一方、その発色状態の感熱記録層を徐々に冷却すると、ロイコ染料と可逆顕色剤が分離して無色透明な消色状態に戻る。このような発色状態と消色状態との可逆的な変化を利用することにより、感熱記録層への書き換えが可能になっている。
【００３１】
図１は、本実施形態に係るリライタブルシートの構造図である。
【００３２】
リライタブルシート１は、図１に示すように、透明な基材１１の片面または両面に、ロイコ染料と熱の作用によってロイコ材料に対して顕色性を呈する基と、減色性を呈する基を同一分子内に有する化合物である顕減色剤およびバインダー等からなる記録層１２を形成し、その表面に必要に応じて耐久性を向上させる保護層、紫外線保護層あるいは耐磨耗用の保護層等の保護層１３を重ねて構成してある。
【００３３】
上記基材１１は、合成樹脂フィルム状体でよく、例えば耐久性および資源性を考慮するとＰＥＴ材が好適である。
【００３４】
一般に、ロイコ染料はフェノール性化合物と熱的に反応してロイコ染料のラクトン環が開環し、無色から有色に色変化をする。
【００３５】
しかし、ラクトン環を開環した有色化合物は塩基性物質にふれると閉環してもとのラクトン環である無色の化合物に戻る。
【００３６】
このように、顕減色剤とロイコ染料の可逆性によって、顕減色剤は無色のロイコ染料を熱エネルギーの制御のみでラクトン環を開環して有色化合物にしたり、閉環して無色のロイコ染料に戻したりすることが複数回繰り返してできる性質を利用したリライタブル記録媒体である。
【００３７】
このような構成のリライタブル記録媒体は高温、短時間の第１エネルギー、例えば、１５０〜１８０℃で１〜３ｍｓｅｃの熱エネルギーを与えるとその個所が例えば黒色（他に青色、赤色等がある。）になる。
【００３８】
つぎに、低温、長時間の第２のエネルギー、例えば１３０℃〜１５０℃で５ｍｓｅｃ〜２ｓｅｃの熱エネルギーを与えるとその個所の黒色は消去されることになる。
【００３９】
一般的には、１８０度以上で発色し、１３０度〜１７０度の消去温度で消去させるものが多く使用されている。
【００４０】
ロイコ染料としては、クリスタルバイオレットラクトン、３−（４−ジエチルアミノ−２−エトキシフェニル）−３−（１−エチル−２−メチルインドール−３−イル）−４−アザフタリド、３−インドリノ−３−ｐ−ジメチルアミノフェニル−６−ジメチルアミノフタリド等のフタリド化合物、３−ジエチルアミノ−６−メチル−７−アニリノフルオラン、３−ジブチルアミノ−６−メチル−７−アニリノフルオラン、３−ジエチルアミノ−６−メチル−７−キシリジノフルオラン等のフルオラン化合物などを使用することができる。
【００４１】
また顕減色剤としては、フェノール性水酸基またはカルボキシル基からなる酸性基とアミノ基からなる塩基性基の双方を有する化合物で、熱エネルギーの違いにより酸性または塩基性となって、ロイコ染料を発色・消色させるものなどの材料が使用できる。例えば、ヒドロキシ安息香酸、ヒドロキシサリチル酸、没食子酸、等の酸と脂肪属アミン類、フェニルアルキルアミン類、トリルアルキルアミン類等の塩基との塩または錯塩などである。
【００４２】
上記のような記録剤は、水または有機溶剤に溶解する高分子材料をバインダーとして使用することができ、例えば、アクリル系樹脂、メタクリル系樹脂、ポリウレタン樹脂、ポリウレア樹脂、ポリカーボネート樹脂、ポリエステル樹脂、ポリアミド樹脂、ポリビニルアルコール、ゼラチン、アラビアゴム、メチルセルロース、エチルセルロース、酢酸セルロース、ポリビニルブチラール、ポリ塩化ビニル等などである。また繰り返し特性や耐熱性を高めるためには熱硬化性樹脂や耐熱性樹脂を使用することが好適である。
【００４３】
本発明で用いるリライタブルシート１は、以上の特性を有するリライタブル記録媒体から構成され、以上の特性に基づき印刷部および消去部（図示せず）により印刷、表示、及び消去が行なわれる。
【００４４】
図２は、他の実施形態に係るリライタブルシートの構造図である。
【００４５】
図２は本発明を感熱記録式リライタブルシートに適用した例を示すものである。
【００４６】
図２に示すリライタブルシートは、ポリエチレンテレフタレート等からなる基材１１の表面に感熱記録層１２が設けられている。
【００４７】
感熱記録層１２は本実施形態ではロイコ染料６１と可逆顕色剤６２とを混合したロイコリライト層であり、このロイコリライト層を基材１１の上に均一にコーティングしたものである。記録層１２の厚みは例えば、１μｍ〜１０μｍ程度である。
【００４８】
一方、基材１１の表面と裏面には保護層１３が設けられている。
【００４９】
感熱記録式リライタブルシートは、感熱記録式プリンタによる加熱・冷却を利用して書き換えが行われる。
【００５０】
感熱記録層１２を加熱した場合、ロイコ染料６１と可逆顕色剤６２とが溶融により化学反応してロイコ染料６１が発色し、これを急冷すると発色状態が固定されて表示が可能になる。
【００５１】
それに対し、発色状態の感熱記録層１２を徐々に冷却した場合、ロイコ染料６１と可逆顕色剤６２が分離して無色透明な消色状態に戻り表示が消去される。
【００５２】
すなわち、発色状態と消色状態との可逆的な変化によって感熱記録層１２への書き換えが可能になっている。
【００５３】
なお、図示した例では基材１１の表面に感熱記録層１２を設け、基材１２の裏面に保護層１３を設けているが、保護層１３の表面に感熱記録層１２を直接コーティングすることも可能である。
【００５４】
また、感熱記録層１２としては例示したロイコリライト方式による記録層に限らず、透明白濁方式による記録層を採用してもよい。
【００５５】
リライタブルシートの印字は、サーマルヘッドを有するサーマルプリンタで印字することができる。サーマルプリンタにより、リライタブルシートは、まず所定の加熱温度で全面または部分的に走査し書き込まれていた元の画像を消去する。消去の場合は書込みの場合よりは長い加熱時間（各消去箇所において数百ミリ秒〜１秒程度）が必要であり、サーマルヘッドをやや緩慢に走査する必要がある。
【００５６】
書換え可能表示部に対する書込みは、消去よりも短時間（数ミリ〜数十ミリ秒）で行うことができる。書込みは、非接触リーダライタで読み取られたデータに基づいて、サーマルヘッドを走査することにより行う。
【００５７】
図３は、本実施形態に係る充電可能なリライタブルシートの構成図である。
【００５８】
本充電可能なリライタブルシート１は、データを送受信する送受信部２とプリンタ装置５の充電用アンテナコイル５１から送信される電磁波を整流して電力として蓄える蓄電部３と温度などを測定して記録するセンサ部４とを備えて構成される。
【００５９】
送受信部２は、アンテナ用コイル２１とプリンタ装置５とデータ信号をやり取りする送受信部２２とを備える。
【００６０】
アンテナ用コイル２１は、プリンタ装置５から送信されてくるデータ信号を受信し、メモリに記憶されたデータ信号を送信する。コイル状平面アンテナ以外にダイポール型アンテナ、多周波数共用アンテナであっても良い。
【００６１】
送受信部は、受信したデータ信号を復調回路（図示せず）にて復調しＣＰＵ４１に送る。また記憶したデータを変調回路（図示せず）にて変調してデータ信号として送信する。
【００６２】
蓄電部３は、アンテナ用コイル３１と整流回路３２と定電圧回路３３と蓄電地３４とを備える。
【００６３】
アンテナ用コイル３１は、プリンタ装置５の充電用アンテナコイル５１から送信されてきた電力用電磁波を受信する。コイル状平面アンテナ以外にダイポール型アンテナ、多周波数共用アンテナであっても良い。多周波数共用アンテナの場合は、プリンタ装置５の充電用アンテナコイル５１からの電磁波だけでなく、移動する際に空中を飛び交っている電磁波によっても誘導起電力が得られるため、常時充電することが可能であるが、アンテナの面積を大きくする必要がある。
【００６４】
この場合、電磁波の周波数としては、例えばサブミリ波である３００ＧＨｚ〜３ＴＨｚ、ミリ波である３０ＧＨｚ〜３００ＧＨｚ、マイクロ波である３ＧＨｚ〜３０ＧＨｚ、極超短波である３００ＭＨｚ〜３ＧＨｚ、超短波である３０ＭＨｚ〜３００ＭＨｚ、短波である３ＭＨｚ〜３０ＭＨｚ、中波である３００ｋＨｚ〜３ＭＨｚ、長波である３０ｋＨｚ〜３００ｋＨｚ、及び超長波である３ｋＨｚ〜３０ｋＨｚのいずれの周波数も含まれる。少なくともアンテナ用コイルは、これらの周波数帯の電磁波の一部又は全てを受信できる機能を備えていれば好適である。
【００６５】
受信する周波数に対応してコイル状平面アンテナ、ループアンテナ、スパイラルコイルアンテナ、モノポールアンテナ、ダイポールアンテナ、パッチアンテナなどさまざまなものを適用することができる。また、１３ＭＨｚ帯、９００ＭＨｚ帯、２ＧＨｚ帯など複数の周波数帯の電磁波を受信することができる多周波共用アンテナを適用することもできる。
【００６６】
アンテナの形成は、アルミニウム、銅、銀などの良導体材料で形成することが望ましい。例えば、アンテナを、銅又は銀のペースト状組成物を、スクリーン印刷、オフセット印刷、インクジェット方式の印刷法で形成することができる。また、スパッタリングなどでアルミニウム膜を形成し、エッチング加工によりアンテナを形成しても良い。
【００６７】
その他、電解メッキ法、無電解メッキ法を用いてアンテナを形成しても良い。どのような方法でも、プラスチックフィルム、プラスチック基板、不織布、紙、ガラスエポキシ基板、ガラス基板など絶縁表面を有する基体にアンテナを形成することができる。
【００６８】
整流回路３２は、受信した電力用電磁波を整流して定電圧回路３３に送る。
【００６９】
定電圧回路３３は、整流された電力を平滑化して一定電圧の直流電力にして蓄電地３４に送る。
【００７０】
蓄電地３４は、送られた電力を充電可能であり、送受信２とセンサ部４と全体の動作用電源を供給する。蓄電池３４としては充放電に化学反応を利用する二次電池又は電荷を蓄積するコンデンサによって構成することができる。
【００７１】
センサ部４は、ＣＰＵ４１とメモリ４２とメモリ４３とセンサ４４とタイマ４５とを備える。
【００７２】
ＣＰＵ４１は、メモリ４２に記憶された動作プログラムにより動作する。送受信部２２から入力される信号を処理したり、受信したデータをメモリ４３に記憶したり、メモリ４３に記憶されたデータを読み出し送受信部２２により変調し、アンテナ用コイル２１からデータを送信したり、センサ４４の読み書きを制御したり、回路全体を制御する部分である。
【００７３】
メモリ４２は、ＣＰＵ４１を動作させるプログラムなどを記憶する。
【００７４】
メモリ４３は、受信データやセンサ４４で測定したデータなどを記憶する。
【００７５】
センサ４４は、温度、湿度などの環境情報データや、加速度、位置などをセンシングするセンサである。センサ４４としては、センサ抵抗素子、容量結合素子、誘導結合素子、光起電力素子、光電変換素子、熱起電力素子、トランジスタ、サーミスタ、ダイオードなどの半導体素子で形成される。センサ４４はインピーダンス、リアクタンス、インダクタンス、電圧又は電流の変化を検出し、アナログ／デジタル変換（Ａ／Ｄ変換）してＣＰＵ４１に信号を出力する。
【００７６】
タイマ４５は、クロック発振回路であり時間を計測する。例えば、センサが測定するデータを一定時間毎にメモリ４３に記憶させる。
【００７７】
図４は、本実施形態に係るプリンタ装置の構成図である。
【００７８】
本プリンタ装置５は、充電用のアンテナコイル５１と通信用のアンテナコイル５２と送受信部５３と制御回路部５４とプリンタ制御回路部５５とサーマルヘッド駆動回路部５６とサーマルヘッド５７とプラテンローラ５８とを備えて構成される。
【００７９】
充電用アンテナコイル５１は、充電可能リライタブルシート１に動作用電源を供給するための電磁波を送信する。
【００８０】
通信用アンテナコイル５２は、充電可能リライタブルシート１に制御信号やデータ信号を送信する。充電可能リライタブルシート１に記録されているデータを送信させる制御信号やＲＦＩＤのデータを書き換えるためのデータ信号を送信する
【００８１】
送受信部５３は、充電可能リライタブルシート１に対して送信するデータを変調回路（図示せず）で変調しデータ信号として送信する。またリライタブルシート１から受信したデータ信号を復調回路（図示せず）にて復調し制御回路５４に送る。
【００８２】
制御回路５４は、ＣＰＵとメモリ（図示せず）とを備える。制御回路５４のＣＰＵは、メモリに記憶された動作プログラムにより動作する。また送受信部５３から入力される信号を処理したり、受信したデータをメモリに記憶したり、メモリに記憶されたデータを読み出し送受信部５３により変調し、アンテナ用コイル５２からデータを送信する部分である。
【００８３】
プリンタ制御回路５５は、プリンタ制御回路を制御したり、制御回路５４とやり取りし、プリンタ装置５全体の制御を行う。
【００８４】
サーマルヘッド駆動回路５６は、サーマルヘッドの駆動を行うことで、リライタブルシート１の表示を消去したり、新たにデータを印字したりするために、サーマルヘッドの駆動を制御する。
【００８５】
サーマルヘッド５７は、直接リライタブルシート１を加熱してシート表面の印刷を消去したり新たなデータを印刷したりする。
【００８６】
プラテンローラ５８は、情報を追記又は書き換えられたリライタブルシート１を搬送する部分である。
【００８７】
図５は、他の実施形態に係るプリンタ装置の構成図である。
【００８８】
図４と相違するのは、情報処理装置６と接続していることである。それ以外のプリンタ装置５の構成は図４と同様であるので詳細な説明は省略する。
【００８９】
情報処理装置６は、制御回路部と情報処理部とメモリ部と記憶部とを主要な構成として備える。情報処理装置６では、プリンタ装置５がリライタブルシート１から受信した情報データを送信してくるので、その情報データを受け取ってデータ処理を行う。例えば、センサ４４が温度センサであった場合、温度変化の結果に合わせて、リライタブルシート１に印刷するデータをデータ処理により行い、印刷データを生成する。
【００９０】
そして、生成した印刷データをプリンタに送信する。ここで印刷すべきデータとは、例えば、温度の最大値／最小値、温度の平均値、温度の推移を示すグラフなどである。また情報処理装置６は、例えばパソコンなどである。この情報処理装置６は公知のものが適用可能であるので詳細な説明は省略する。
【００９１】
図６は、本実施形態に係る非接触充電可能なリライタブルシートとプリンタ装置の動作の流れを説明する図である。
【００９２】
非接触可能なリライタブルシート１をプリンタ装置５にセットする（ステップＳ１）。プリンタ装置５はリライタブルシート１に対して電磁波を送信（ステップＳ２）し、電磁誘導方式によりリライタブルシート１に埋め込まれているコイルとの間に磁界を発生させ、リライタブルシート１のコイルに発生した誘導起電力により充電部に充電する（ステップＳ３）。
【００９３】
プリンタ装置５のＲＦＩＤのリーダライタは、リライタブルシート１のＲＦＩＤに対して制御データや情報データを送信する（ステップＳ４）。リライタブルシート１のＲＦＩＤは制御データや情報データを受け取り、新しい情報に書き換えて更新する（ステップＳ５）。
【００９４】
情報データとは、例えば、商品情報などの電子データなどである。
【００９５】
次にリライタブルシート１のＲＦＩＤは、自身で記憶している情報データをプリンタ装置５のリーダライタに対して送信する（ステップＳ６）。
【００９６】
プリンタ装置５のリーダライタは、リライタブルシート１のＲＦＩＤから送信された情報データを受け取って、データ処理を行う（ステップＳ７）。そして、データ処理を行った新たな情報を印刷部にてリライタブルシート１に追記又は書き換え印刷を行う（ステップＳ８）。情報を追記又は書き換えられたリライタブルシート１は、プリンタ装置５の外へ排出される（ステップＳ９）。
【００９７】
このように、新たな情報をリライタブルシート１に追記又は書き換え印刷することで、電子データの情報を目に見える形にすることが可能である。情報データをリライタブルシート１に追記又は書き換え印刷することで、従来は流通拠点にあるプリンタ装置５のリーダライタで情報を取り出さないと分からないのに対して、搬送途中でも情報をみることが可能となる。
【００９８】
上記のように、情報を追記又は書き換えられたリライタブルシート１は、商品の箱やトレーなどに付けて流通することになる。
【００９９】
そして、ある流通拠点に到着したらプリンタ装置５にリライタブルシート１をセットし、プリンタ装置５に搭載されているＲＦＩＤリーダライタにより、商品の情報と共に、例えば管理項目が温度である場合には、移動中に記録した温度変化のデータを読み出して、データ処理を行うことになる。そして新たな情報を追記又は書き換えて印刷することにより、移動中の温度変化について目でみて確認することが可能となる。
【０１００】
上記の実施形態によれば、商品が例えば生鮮食品などであれば、いつどこで加工した等の履歴管理や移動した経路、温度の記録等が分かるので、トレーサビリティーが可能となる。このことは、消費者に対して生鮮食品の温度管理品質をアピールできることになる。
【０１０１】
図７は、他の実施形態に係る非接触充電可能なリライタブルシートとプリンタ装置の動作の流れを説明する図である。
【０１０２】
ステップＳ１からステップＳ６及びステップＳ９は、図５と同様であるので、詳細な説明は省略する。
【０１０３】
リライタブルシート１のＲＦＩＤは、自身で記憶している情報データをプリンタ装置５のリーダライタに対して送信する（ステップＳ６）。その後、プリンタ装置５のリーダライタは受け取った情報データを情報処理装置（ＰＣ）に送信する（ステップＳ１１）。
【０１０４】
ＰＣは受け取った情報データをデータ処理して、記憶部に記憶して、その後印刷データを生成して印刷データをプリンタ装置５に送信する（ステップＳ１２）。プリンタ装置５は受け取った印刷データをリライタブルシート１に追記又は書き換え印刷する（ステップＳ１３）。そしてステップＳ９に進む。
【０１０５】
上記の実施形態によれば、リライタブルシート１に搭載するセンサは温度センサを例にして説明したが、温度センサに限ることではなく、例えば湿度センサや加速度センサ、ＧＰＳセンサなどでも良い。加速度センサの場合では、管理対象として精密機械や商品の運搬などの途中の衝撃などの経時変化が挙げられる。ＧＰＳセンサの場合は、流通経路の情報となる。
【０１０６】
上記の実施形態によれば、搭載するセンサは、１つであったが、搭載する数は限定されることではなく、２つ以上でも可能であるが、搭載する蓄電池の容量を適宜設計する必要がある。
【０１０７】
本発明に係るリライタブルシートのデータ送受信手段は、受信したデータ信号をデータ情報に変換する手段と、送信するためのデータ情報をデータ信号に変換する手段と、データ信号を送受信するアンテナ手段と、を有することを特徴とする。
【０１０８】
本発明に係るリライタブルシートの電力蓄積手段は、電磁波により誘導起電力を発生するアンテナ手段と、発生した電力を整流および平滑化する電力安定手段と、電力を蓄電して供給する電力蓄積供給手段と、を有することを特徴とする。
【０１０９】
本発明に係るプリンタ装置のデータ送受信手段は、受信したデータ信号をデータ情報に変換する手段と、送信するためのデータ情報をデータ信号に変換する手段と、データ信号を送受信するアンテナ手段と、を有することを特徴とする。
【０１１０】
本発明に係るプリンタ装置のサーマルヘッド手段は、印刷シートに記録されている画像データを予め定められた温度の加熱により消去し、予め定められた温度より高い温度の加熱により新たな画像データを形成することを特徴とする。
【産業上の利用可能性】
【０１１１】
本発明によれば、非接触充電が可能な印刷シート、そのシート表示の書き換えを行うプリンタ装置及び印刷システムなどの用途に適用できる。
【符号の説明】
【０１１２】
１    リライタブルシート（印刷シート）
２    送受信部
３    蓄電部
４    センサ部
５    プリンタ装置
６    情報処理装置（ＰＣ）
１１  基材
１２    記録層
１３    保護層
２１    アンテナ用コイル
２２    送受信部
３１    ＣＰＵ
３２    整流回路
３３    定電圧回路
３４    蓄電地
４１    ＣＰＵ
４２    メモリ
４３    メモリ
４４    センサ
４５    タイマ
５１    充電用アンテナコイル
５２    通信用アンテナコイル
５３    送受信部
５４    制御回路
５５    プリンタ制御回路
５６    サーマルヘッド駆動回路
５７    サーマルヘッド
５８    プラテンローラ（搬送ローラ）
６１    ロイコ染料
６２    可逆顕色剤
【図１】
0005426304.tif 000002
【図２】
0005426304.tif 000003
【図３】
0005426304.tif 000004
【図４】
0005426304.tif 000005
【図５】
0005426304.tif 000006
【図６】
0005426304.tif 000007
【図７】
0005426304.tif 000008